(57)【要約】【課題】  歯列に沿って歯ブラシの柄を握って左右に動かす場合に、柄を握る手指を動かす往復運動をリズム的に均一にしながらも、歯ブラシのブラシ部を適切な幅の動きに変えることで、歯ブラシの毛先が歯間や歯周の歯茎と歯肉の間に十分に入り込み、食べかすや歯垢を十分に掻きだすことが自然にできる構造の歯ブラシを提供する。【解決手段】  歯ブラシ１を手で握る柄２の部分に対してブラシ毛４の植えられているブラシ部３を柄２の長手方向に相対的に遊び８を有して可動状態に係合して形成してなる歯ブラシ１で、遊び８はブラシ部３に設けた軸孔６に挿通した柄２の軸部５の長さをブラシ部３の長さに比して３〜５ｍｍ長くして形成している。【選択図】      図１
0003116926.tif 000002
【実用新案登録請求の範囲】
【請求項１】
歯ブラシ１を手で握る柄２の部分に対してブラシ毛４の植えられているブラシ部３を柄２の長手方向に相対的に遊び８を有して可動状態に係合して形成してなる歯ブラシ１。
【請求項２】
上記における遊び８はブラシ部３に設けた軸孔６に挿通した柄２の軸部５の長さをブラシ部３の長さに比して３〜５ｍｍ長くして形成してなる請求項１に記載の歯ブラシ１。
【考案の詳細な説明】
【技術分野】
【０００１】
この考案は、歯ブラシのブラシ部に植生されたブラシの毛先が、磨く歯や歯茎に接するのみでなく、歯間や歯と歯茎の間の歯周に容易に入り込み、歯磨きにより食べ物かすや歯垢を容易に取り除くことのできる歯ブラシである。
【背景技術】
【０００２】
従来の歯ブラシは、手で握る柄の部分と柄の先端部側のブラシ部から形成され、ブラシ部に歯を磨くための多数の毛が植え込まれている。このような歯ブラシの柄の部分を手で握って、ブラシに練り歯磨きをつけ、ブラシ部を口蓋中に入れ、歯茎や歯肉に沿わせて歯磨きすることで食べかすや歯垢を除去する。
【０００３】
従来の歯ブラシでは、ブラシ部をやや小さくして口蓋中の歯列や歯茎の周囲に動き易くしたものや、ブラシの毛先を細くして歯茎と歯肉の間の隙間に毛先を入りやすくしたものがある。また、柄とブラシ部間に角度を持たせて口蓋に入れて運動しやすくしているものなどがあった。しかし、これらの歯ブラシであっても、柄を握る使用者の手の動きが適切でなければ十分に磨けず、しかも、この手の動かし方はやさしものでなかった。
【０００４】
従来の技術として、歯ブラシの毛先の歯間進入性を高め、当たり心地と刷掃実感を優れたものとするために、毛束をテーパー毛とし、このテーパー毛を山切りカットで形成するものが開示されている（例えば、特許文献１参照。）。
【０００５】
また、刷毛束を自在に回転可能にして、刷毛先が様々な凹凸に良好にフィットする方向に向けるようにした歯ブラシが開発されている（例えば、特許文献２参照。）。
【０００６】
さらに、歯ブラシのブラシ部を柄に対して回動軸により回転可能とし、姿勢を変えることなく歯列全体を磨きうるようにした、歯牙清掃用の歯ブラシが提案されている（例えば、特許文献３参照。）。
【０００７】
しかし、これらの歯ブラシでも、歯ブラシを適切なスピードで口蓋中を動かすことは難しく、必ずしも、これらの歯ブラシが持つ機能を十分に発揮させうるものではなかった。
【０００８】
【特許文献１】特開２００４−１２９６８３号公報
【特許文献２】特開２００２−１０８３２号公報
【特許文献３】特開２００５−１８５３９７号公報
【考案の開示】
【考案が解決しようとする課題】
【０００９】
この考案は、歯列に沿って歯ブラシの柄を握って左右に動かす場合に、柄を握る手指を動かす往復運動をリズム的に均一にしながらも、歯ブラシのブラシ部を適切な動きに変えることで、歯ブラシの毛先が歯間や歯周の歯茎と歯肉の間に十分に入り込み、食べかすや歯垢を十分に掻きだすことが自然にできる構造の歯ブラシを提供することである。
【課題を解決するための手段】
【００１０】
上記の課題を解決するための本考案の手段は、請求項１の手段では、歯ブラシ１を手で握る柄２の部分に対してブラシ毛４の植えられているブラシ部３を柄２の長手方向に相対的に遊び８を有して可動状態に係合して形成してなる歯ブラシ１である。
【００１１】
さらに、請求項２の手段では、上記における遊び８はブラシ部３に設けた軸孔６に挿通した柄２の軸部５の長さをブラシ部３の長さに比して３〜５ｍｍ長くして形成してなる請求項１の手段の歯ブラシ１である。
【考案の効果】
【００１２】
歯を磨くときに、歯ブラシを歯や歯茎の方に軽く押しつけながら、歯ブラシを歯列の歯と歯の隙間の縦方向に動かす場合と、歯列の方向に沿って左右に動かす場合がある。この歯磨きの手の運動は、ややもすると１本の歯の長さや横幅よりも大きく動かす。それは握る手の大きさが１本の歯に比して極端に大きく、それらの間に差がありすぎるので、微細な動きとすることが自然と苦手となるからである。このような場合、歯ブラシのブラシの毛先が十分に歯間や歯茎と歯肉の間に入り込まないで、歯ブラシ本体に連れて動くこととなる。その結果、本来歯ブラシのブラシ部の毛先が十分に歯間の食べかすや歯垢に触れることなく上滑りしてしまう。したがってこのような場合に十分に歯磨きの目的が達成されず、歯間や歯茎と歯肉の間に溜まった食べかすや歯垢で虫歯となったり、歯石を形成することとなる。
【００１３】
これに対し、本考案の歯ブラシは、ブラシ部と柄の部分に軸方向の遊びがあるので、この遊びの分だけブラシ部が遅れて移動することとなるので、手の動き幅よりもよりもブラシ部の動きの幅が遊びの分だけ狭くなり、細かい動きに変えられる。さらに、時間的に動きが遊びの分遅れるので、その間にブラシ部の毛先が歯間や歯茎と歯肉の間に入り込むことができ、これらの相乗効果により、歯間や歯茎と歯肉の間の食べかすや歯垢を十分に掻きだすことができる。以上、本考案は遊びを設けたことにより、大きな手の動きを微細な動きの振幅運動に代え、しかも、この動きに時間的余裕を与えて、ブラシの毛先が十分に歯間や歯茎と歯肉の間に入り込ませることができ、従来にない優れた効果を奏するものである。
【考案を実施するための最良の形態】
【００１４】
本考案の最良の形態を以下に図面を参照して実施例により説明する。図１は本考案の歯ブラシの要部を示す断面図である。図２は本考案の歯ブラシの要部を示す斜視図である。これらの図において、符号の１は歯ブラシ、２は柄、３はブラシ部、４はブラシ毛、５は軸部、６は軸孔、７は先端部、８は遊びをそれぞれ示す。
【００１５】
この歯ブラシ１のブラシ毛４を以外の柄２およびブラシ部３の本体の部分は、プラスチックからなる。歯ブラシ１を手指で握る柄２の先端部側は長手方向の径の細い角状の軸部５に形成し、この軸部５に長手方向に開口した角状の軸孔６を有するブラシ部３を通している。このブラシ部３の一側面にはブラシ毛４が植えられている。このブラシ部３の軸孔６が角形で、一方、柄５の先端部側の軸部５の形状が角形であるので、ブラシ部３は軸部５の回りを回転することはない。軸部５の先端部７は嵌合したブラシ部３が抜けないように軸孔５よりもブラシ部３先端部と略同様の大きさになっている。このブラシ部３を通した軸部５は、例えば柄２に孔を設けて嵌合して接着して一体化する。あるいはブラシ部３を通した軸部５の先端を先端部７に接着して一体化する。
【００１６】
このように形成した軸部５の長さは、ブラシ部３の軸孔６よりも３〜５ｍｍ長いものとするので、ブラシ部３と軸部５の両端の柄２あるいは先端部７との間に３〜５ｍｍの遊び８が形成されている。この遊び８によりブラシ部３は軸部５を摺動して前後に動ける。
【００１７】
この考案の歯ブラシ１の使用方法について説明する。歯ブラシ１のブラシ毛４に練り歯磨きをつけ、通常に歯に当てて歯を磨き始める。この場合、歯の上下にブラシ毛４を動かすときは通常の歯ブラシのとおりに手指で動かす。ところで、歯列あるいは歯茎と歯肉の間や歯肉をブラッシングしたりマッサージしたりする場合に、歯ブラシ１を歯列あるいは歯茎と歯肉の間や歯肉に沿って横方向に前後に動かす。この場合、通常の動かし方で手指の動きを前後に動かす。ところで、本考案の歯ブラシ１は、遊び８がブラシ部３と軸部５の間にあるので、この遊び８の分だけ前後の移動が遅れて移動する。しかも、遊び８の３〜５ｍｍの分だけ前後の振動が幅狭になる。したがって、歯ブラシ１の前後の移動時間がこの遊び８の分だけ遅れることとなり、その間にブラシ毛４は歯間や歯茎と歯肉の間に押圧されて入り込むこととなり、食べかすや歯垢を十分に掻きだすことができる。
【００１８】
このように、本考案の歯ブラシ１は、歯を磨くブラッシングが上滑りすることなく的確に実施できる。しかも、従来の歯ブラシでは、歯ブラシを細かく前後に振動させながらブラッシングするために、訓練をし、かつ常に注意する必要がある。しかし、本考案の歯ブラシ１では、格別の訓練をしなくとも、手指の動きが細かい前後の振動に自然に置き換えられて、ブラッシングできる利点を有する。
【図面の簡単な説明】
【００１９】
【図１】本考案の歯ブラシの要部を示す断面図である。
【図２】本考案の歯ブラシの要部を示す斜視図である。
【符号の説明】
【００２０】
１  歯ブラシ
２  柄
３  ブラシ部
４  ブラシ毛
５  軸部
６  軸穴
７  先端部
８  遊び
【図１】
0003116926.tif 000003
【図２】
0003116926.tif 000004